(57)【要約】【課題】簡単な構成で確実に加振できる加振機能を有するライトバルブユニットおよびそれを装填した投影型映像表示装置を提供する。【解決手段】投影型映像表示装置に装填されるライトバルブユニット４０であって、光源からの光を変調する液晶ライトバルブ２２及びそれを保持する第１ホルダ５１と、液晶ライトバルブ２２で変調された光を透過する偏光板２３及びそれを保持する第２ホルダ７１と、第１ホルダ５１を支持するための第１支持部材４２と、第１支持部材４２に結合されて第２ホルダ７１を支持するための第２支持部材４３と、第１ホルダ５１を光軸方向に変位可能に第１支持部材４２に支持する第１弾性支持手段５２ａ，５２ｂと、第１ホルダ５１又は第１支持部材４２の一方の側に設けた第１コイル６１及び他方の側に設けた第１永久磁石６２を有し、第１ホルダ５１を光軸方向に駆動する第１電磁駆動手段とを有する。【選択図】図２
2006259111.tif 000002
【特許請求の範囲】
【請求項１】
投影型映像表示装置に装填されるライトバルブユニットであって、
光源からの光を変調する液晶ライトバルブおよび該液晶ライトバルブを保持する第１ホルダと、
上記液晶ライトバルブで変調された光を透過する偏光板および該偏光板を保持する第２ホルダと、
上記第１ホルダを支持するための第１支持部材と、
上記第１支持部材に結合されて上記第２ホルダを支持するための第２支持部材と、
上記第１ホルダを光軸方向に変位可能に上記第１支持部材に支持する第１弾性支持手段と、
上記第１ホルダまたは上記第１支持部材の一方の側に設けた第１コイルおよび他方の側に設けた第１永久磁石を有し、上記第１ホルダを光軸方向に駆動する第１電磁駆動手段と、
を有することを特徴とするライトバルブユニット。
【請求項２】
上記第１コイルは、第１プリント基板に搭載して、該第１プリント基板を上記第１コイルが光軸方向に延在するように上記第１支持部材に固定し、
上記第１永久磁石は、その厚さ方向を磁極面として上記第１コイルと対向して上記第１ホルダに固定したことを特徴とする請求項１に記載のライトバルブユニット。
【請求項３】
上記第１プリント基板には、第１フォトリフレクタを設け、
上記第１ホルダには、光軸方向に傾斜して上記第１フォトリフレクタからの光を反射させる第１反射部材を設けて、
上記第１フォトリフレクタの出力に基づいて上記第１ホルダの光軸方向の位置を検出し得るよう構成したことを特徴とする請求項２に記載のライトバルブユニット。
【請求項４】
上記第１永久磁石は、光軸方向に２分割して厚さ方向の磁極面を逆極性にして配置し、
上記第１プリント基板には、上記第１永久磁石の分割境界線に対向するように第１ホール素子を設けて、
上記第１ホール素子の出力に基づいて上記第１ホルダの光軸方向の位置を検出し得るよう構成したことを特徴とする請求項２に記載のライトバルブユニット。
【請求項５】
上記第１支持部材および／または上記第２支持部材を、上記液晶ライトバルブおよび／または上記偏光板の光軸の傾きを調整可能に支持する補助支持部材と、
上記補助支持部材に対して上記液晶ライトバルブおよび／または上記偏光板の光軸の傾きを調整する傾き調整手段と、
を有することを特徴とする請求項１乃至４のいずれか一項に記載のライトバルブユニット。
【請求項６】
上記第２ホルダを光軸方向に変位可能に上記第２支持部材に支持する第２弾性支持手段と、
上記第２ホルダまたは上記第２支持部材の一方の側に設けた第２コイルおよび他方の側に設けた第２永久磁石を有し、上記第２ホルダを光軸方向に駆動する第２電磁駆動手段と、
を有することを特徴とする請求項１乃至５のいずれか一項に記載のライトバルブユニット。
【請求項７】
上記第２コイルは、第２プリント基板に搭載して、該第２プリント基板を上記第２コイルが光軸方向に延在するように上記第２支持部材に固定し、
上記第２永久磁石は、その厚さ方向を磁極面として上記第２コイルと対向して上記第２ホルダに固定したことを特徴とする請求項６に記載のライトバルブユニット。
【請求項８】
上記第２プリント基板には、第２フォトリフレクタを設け、
上記第２ホルダには、光軸方向に傾斜して上記第２フォトリフレクタからの光を反射させる第２反射部材を設けて、
上記第２フォトリフレクタの出力に基づいて上記第２ホルダの光軸方向の位置を検出し得るよう構成したことを特徴とする請求項７に記載のライトバルブユニット。
【請求項９】
上記第２永久磁石は、光軸方向に２分割して厚さ方向の磁極面を逆極性にして配置し、
上記第２プリント基板には、上記第２永久磁石の分割境界線に対向するように第２ホール素子を設けて、
上記第２ホール素子の出力に基づいて上記第２ホルダの光軸方向の位置を検出し得るよう構成したことを特徴とする請求項７に記載のライトバルブユニット。
【請求項１０】
上記第１支持部材および上記第２支持部材は、共通のユニット受けに固定し、
上記第２ホルダには、上記偏光板の出射側に透過光の一部を回折させるホログラム素子を設け、
上記ユニット受けには、上記ホログラム素子での回折光を受光する光検出器を設けたことを特徴とする請求項６乃至９のいずれか一項に記載のライトバルブユニット。
【請求項１１】
上記光検出器は、上記ホログラム素子での回折方向に２分割された受光領域を有することを特徴とする請求項１０に記載のライトバルブユニット。
【請求項１２】
上記光検出器は、半導体位置検出器からなることを特徴とする請求項１０に記載のライトバルブユニット。
【請求項１３】
光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項１乃至１２のいずれか一項に記載のライトバルブユニットをもって構成したことを特徴とする投影型映像表示装置。
【請求項１４】
光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項３に記載のライトバルブユニットをもって構成すると共に、上記第１電磁駆動手段に上記第１ホルダを光軸方向に加振させる加振信号を供給する第１加振信号供給手段と、上記第１フォトリフレクタの出力に基づいて上記第１電磁駆動手段による上記第１ホルダの加振動作の正常・異常を判別する第１判別手段とを設けたことを特徴とする投影型映像表示装置。
【請求項１５】
上記第１フォトリフレクタの出力に基づいて、上記第１ホルダの光軸方向の位置を制御する第１サーボ手段を設けたことを特徴とする請求項１４に記載の投影型映像表示装置。
【請求項１６】
光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項４に記載のライトバルブユニットをもって構成すると共に、上記第１電磁駆動手段に上記第１ホルダを光軸方向に加振させる加振信号を供給する第２加振信号供給手段と、上記第１ホール素子の出力に基づいて上記第１電磁駆動手段による上記第１ホルダの加振動作の正常・異常を判別する第２判別手段とを設けたことを特徴とする投影型映像表示装置。
【請求項１７】
上記第１ホール素子の出力に基づいて、上記第１ホルダの光軸方向の位置を制御する第２サーボ手段を設けたことを特徴とする請求項１６に記載の投影型映像表示装置。
【請求項１８】
光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項８に記載のライトバルブユニットをもって構成すると共に、上記第２電磁駆動手段に上記第２ホルダを光軸方向に加振させる加振信号を供給する第３加振信号供給手段と、上記第２フォトリフレクタの出力に基づいて上記第２電磁駆動手段による上記第２ホルダの加振動作の正常・異常を判別する第３判別手段とを設けたことを特徴とする投影型映像表示装置。
【請求項１９】
上記第２フォトリフレクタの出力に基づいて、上記第２ホルダの光軸方向の位置を制御する第３サーボ手段を設けたことを特徴とする請求項１８に記載の投影型映像表示装置。
【請求項２０】
光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項９に記載のライトバルブユニットをもって構成すると共に、上記第２電磁駆動手段に上記第２ホルダを光軸方向に加振させる加振信号を供給する第４加振信号供給手段と、上記第２ホール素子の出力に基づいて上記第２電磁駆動手段による上記第２ホルダの加振動作の正常・異常を判別する第４判別手段とを設けたことを特徴とする投影型映像表示装置。
【請求項２１】
上記第２ホール素子の出力に基づいて、上記第２ホルダの光軸方向の位置を制御する第４サーボ手段を設けたことを特徴とする請求項２０に記載の投影型映像表示装置。
【請求項２２】
光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項１１または１２に記載のライトバルブユニットをもって構成すると共に、上記第２電磁駆動手段に上記第２ホルダを光軸方向に加振させる加振信号を供給する第５加振信号供給手段と、上記光検出器の出力に基づいて上記第２電磁駆動手段による上記第２ホルダの加振動作の正常・異常を判別する第５判別手段とを設けたことを特徴とする投影型映像表示装置。
【請求項２３】
上記光検出器の出力に基づいて、上記第２ホルダの光軸方向の位置を制御する第５サーボ手段を設けたことを特徴とする請求項２２に記載の投影型映像表示装置。
【請求項２４】
光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項１０乃至１２のいずれか一項に記載のライトバルブユニットをもって構成すると共に、上記光検出器の出力に基づいて上記光源から出射される光の発光量を制御する発光量制御手段を設けたことを特徴とする投影型映像表示装置。
【発明の詳細な説明】
【技術分野】
【０００１】
本発明は、液晶プロジェクタ等の投影型映像表示装置に用いるライトバルブユニットおよびそれを装填した投影型映像表示装置に関するものである。
【背景技術】
【０００２】
従来の投射型映像表示装置として、例えば、光源から出射された光（白色光）を、ダイクロイックミラーを用いてＲ（赤）、Ｇ（緑）、Ｂ（青）の三原色光に分光し、各原色光をＲ，Ｇ，Ｂ用の対応する液晶ライトバルブに入射させて、変調されたＲ，Ｇ，Ｂの分光画像を出射させ、それらのＲ，Ｇ，Ｂ分光画像を合成プリズムで合成して、投射レンズを経てスクリーンに拡大投射するようにしたものが知られている（例えば、特許文献１参照）。
【０００３】
ここで、液晶ライトバルブが透過型の場合には、その入射面側および出射面側の近傍にそれぞれ偏光板が配置され、また、光源と液晶ライトバルブとの間には、リレーレンズやフィールドレンズが配置される場合もある。
【０００４】
このような投射型映像表示装置では、液晶ライトバルブやその近傍に配置された偏光板、あるいはリレーレンズやフィールドレンズの表面に塵埃が付着すると、その付着した塵埃がスクリーンに拡大表示されて投影画像の品質を低下させることになるため、付着した塵埃を除去する必要がある。
【０００５】
その塵埃除去機構として、例えば、液晶ライトバルブ、その入射側および出射側にそれぞれ配置された偏光板の少なくとも一つを振動付加手段により加振させて、付着した塵埃を表面から離脱させると共に、その離脱した塵埃粒子を送風手段により外部に吹き飛ばすようにしたものが知られている（例えば、特許文献２参照）。
【０００６】
【特許文献１】特開２００４−１１７７９１号公報
【特許文献２】特開２００４−２１９８５２号公報
【発明の開示】
【発明が解決しようとする課題】
【０００７】
しかしながら、上記の特許文献２には、振動付加手段として、ピエゾ素子を用いて加振することが記載されているものの、加振される液晶ライトバルブや偏光板の支持手段を含む具体的構成については何ら言及されておらず、構成が不明瞭となっている。
【０００８】
本発明は、かかる点に鑑みてなされたもので、その目的とするところは、簡単な構成で確実に加振できる加振機能を有するライトバルブユニットおよびそれを装填した投影型映像表示装置を提供することにある。
【課題を解決するための手段】
【０００９】
上記目的を達成する請求項１に係る発明は、投影型映像表示装置に装填されるライトバルブユニットであって、
光源からの光を変調する液晶ライトバルブおよび該液晶ライトバルブを保持する第１ホルダと、
上記液晶ライトバルブで変調された光を透過する偏光板および該偏光板を保持する第２ホルダと、
上記第１ホルダを支持するための第１支持部材と、
上記第１支持部材に結合されて上記第２ホルダを支持するための第２支持部材と、
上記第１ホルダを光軸方向に変位可能に上記第１支持部材に支持する第１弾性支持手段と、
上記第１ホルダまたは上記第１支持部材の一方の側に設けた第１コイルおよび他方の側に設けた第１永久磁石を有し、上記第１ホルダを光軸方向に駆動する第１電磁駆動手段と、
を有することを特徴とするものである。
【００１０】
請求項２に係る発明は、請求項１に記載のライトバルブユニットにおいて、
上記第１コイルは、第１プリント基板に搭載して、該第１プリント基板を上記第１コイルが光軸方向に延在するように上記第１支持部材に固定し、
上記第１永久磁石は、その厚さ方向を磁極面として上記第１コイルと対向して上記第１ホルダに固定したことを特徴とするものである。
【００１１】
請求項３に係る発明は、請求項２に記載のライトバルブユニットにおいて、
上記第１プリント基板には、第１フォトリフレクタを設け、
上記第１ホルダには、光軸方向に傾斜して上記第１フォトリフレクタからの光を反射させる第１反射部材を設けて、
上記第１フォトリフレクタの出力に基づいて上記第１ホルダの光軸方向の位置を検出し得るよう構成したことを特徴とするものである。
【００１２】
請求項４に係る発明は、請求項２に記載のライトバルブユニットにおいて、
上記第１永久磁石は、光軸方向に２分割して厚さ方向の磁極面を逆極性にして配置し、
上記第１プリント基板には、上記第１永久磁石の分割境界線に対向するように第１ホール素子を設けて、
上記第１ホール素子の出力に基づいて上記第１ホルダの光軸方向の位置を検出し得るよう構成したことを特徴とするものである。
【００１３】
請求項５に係る発明は、請求項１乃至４のいずれか一項に記載のライトバルブユニットにおいて、
上記第１支持部材および／または上記第２支持部材を、上記液晶ライトバルブおよび／または上記偏光板の光軸の傾きを調整可能に支持する補助支持部材と、
上記補助支持部材に対して上記液晶ライトバルブおよび／または上記偏光板の光軸の傾きを調整する傾き調整手段と、
を有することを特徴とするものである。
【００１４】
請求項６に係る発明は、請求項１乃至５のいずれか一項に記載のライトバルブユニットにおいて、
上記第２ホルダを光軸方向に変位可能に上記第２支持部材に支持する第２弾性支持手段と、
上記第２ホルダまたは上記第２支持部材の一方の側に設けた第２コイルおよび他方の側に設けた第２永久磁石を有し、上記第２ホルダを光軸方向に駆動する第２電磁駆動手段と、
を有することを特徴とするものである。
【００１５】
請求項７に係る発明は、請求項６に記載のライトバルブユニットにおいて、
上記第２コイルは、第２プリント基板に搭載して、該第２プリント基板を上記第２コイルが光軸方向に延在するように上記第２支持部材に固定し、
上記第２永久磁石は、その厚さ方向を磁極面として上記第２コイルと対向して上記第２ホルダに固定したことを特徴とするものである。
【００１６】
請求項８に係る発明は、請求項７に記載のライトバルブユニットにおいて、
上記第２プリント基板には、第２フォトリフレクタを設け、
上記第２ホルダには、光軸方向に傾斜して上記第２フォトリフレクタからの光を反射させる第２反射部材を設けて、
上記第２フォトリフレクタの出力に基づいて上記第２ホルダの光軸方向の位置を検出し得るよう構成したことを特徴とするものである。
【００１７】
請求項９に係る発明は、請求項７に記載のライトバルブユニットにおいて、
上記第２永久磁石は、光軸方向に２分割して厚さ方向の磁極面を逆極性にして配置し、
上記第２プリント基板には、上記第２永久磁石の分割境界線に対向するように第２ホール素子を設けて、
上記第２ホール素子の出力に基づいて上記第２ホルダの光軸方向の位置を検出し得るよう構成したことを特徴とするものである。
【００１８】
請求項１０に係る発明は、請求項６乃至９のいずれか一項に記載のライトバルブユニットにおいて、
上記第１支持部材および上記第２支持部材は、共通のユニット受けに固定し、
上記第２ホルダには、上記偏光板の出射側に透過光の一部を回折させるホログラム素子を設け、
上記ユニット受けには、上記ホログラム素子での回折光を受光する光検出器を設けたことを特徴とするものである。
【００１９】
請求項１１に係る発明は、請求項１０に記載のライトバルブユニットにおいて、
上記光検出器は、上記ホログラム素子での回折方向に２分割された受光領域を有することを特徴とするものである。
【００２０】
請求項１２に係る発明は、請求項１０に記載のライトバルブユニットにおいて、
上記光検出器は、半導体位置検出器からなることを特徴とするものである。
【００２１】
請求項１３に係る発明は、光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項１乃至１２のいずれか一項に記載のライトバルブユニットをもって構成したことを特徴とするものである。
【００２２】
請求項１４に係る発明は、光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項３に記載のライトバルブユニットをもって構成すると共に、上記第１電磁駆動手段に上記第１ホルダを光軸方向に加振させる加振信号を供給する第１加振信号供給手段と、上記第１フォトリフレクタの出力に基づいて上記第１電磁駆動手段による上記第１ホルダの加振動作の正常・異常を判別する第１判別手段とを設けたことを特徴とするものである。
【００２３】
請求項１５に係る発明は、請求項１４に記載の投影型映像表示装置において、
上記第１フォトリフレクタの出力に基づいて、上記第１ホルダの光軸方向の位置を制御する第１サーボ手段を設けたことを特徴とするものである。
【００２４】
請求項１６に係る発明は、光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項４に記載のライトバルブユニットをもって構成すると共に、上記第１電磁駆動手段に上記第１ホルダを光軸方向に加振させる加振信号を供給する第２加振信号供給手段と、上記第１ホール素子の出力に基づいて上記第１電磁駆動手段による上記第１ホルダの加振動作の正常・異常を判別する第２判別手段とを設けたことを特徴とするものである。
【００２５】
請求項１７に係る発明は、請求項１６に記載の投影型映像表示装置において、
上記第１ホール素子の出力に基づいて、上記第１ホルダの光軸方向の位置を制御する第２サーボ手段を設けたことを特徴とするものである。
【００２６】
請求項１８に係る発明は、光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項８に記載のライトバルブユニットをもって構成すると共に、上記第２電磁駆動手段に上記第２ホルダを光軸方向に加振させる加振信号を供給する第３加振信号供給手段と、上記第２フォトリフレクタの出力に基づいて上記第２電磁駆動手段による上記第２ホルダの加振動作の正常・異常を判別する第３判別手段とを設けたことを特徴とするものである。
【００２７】
請求項１９に係る発明は、請求項１８に記載の投影型映像表示装置において、
上記第２フォトリフレクタの出力に基づいて、上記第２ホルダの光軸方向の位置を制御する第３サーボ手段を設けたことを特徴とするものである。
【００２８】
請求項２０に係る発明は、光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項９に記載のライトバルブユニットをもって構成すると共に、上記第２電磁駆動手段に上記第２ホルダを光軸方向に加振させる加振信号を供給する第４加振信号供給手段と、上記第２ホール素子の出力に基づいて上記第２電磁駆動手段による上記第２ホルダの加振動作の正常・異常を判別する第４判別手段とを設けたことを特徴とするものである。
【００２９】
請求項２１に係る発明は、請求項２０に記載の投影型映像表示装置において、
上記第２ホール素子の出力に基づいて、上記第２ホルダの光軸方向の位置を制御する第４サーボ手段を設けたことを特徴とするものである。
【００３０】
請求項２２に係る発明は、光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項１１または１２に記載のライトバルブユニットをもって構成すると共に、上記第２電磁駆動手段に上記第２ホルダを光軸方向に加振させる加振信号を供給する第５加振信号供給手段と、上記光検出器の出力に基づいて上記第２電磁駆動手段による上記第２ホルダの加振動作の正常・異常を判別する第５判別手段とを設けたことを特徴とするものである。
【００３１】
請求項２３に係る発明は、請求項２２に記載の投影型映像表示装置において、
上記光検出器の出力に基づいて、上記第２ホルダの光軸方向の位置を制御する第５サーボ手段を設けたことを特徴とするものである。
【００３２】
請求項２４に係る発明は、光源からの光を、液晶ライトバルブおよび偏光板を有するライトバルブユニットに入射させて、上記液晶ライトバルブにより変調して上記偏光板を透過させ、上記ライトバルブユニットを透過した光を投射手段により拡大投射する投影型映像表示装置において、
上記ライトバルブユニットを、請求項１０乃至１２のいずれか一項に記載のライトバルブユニットをもって構成すると共に、上記光検出器の出力に基づいて上記光源から出射される光の発光量を制御する発光量制御手段を設けたことを特徴とするものである。
【発明の効果】
【００３３】
本発明の液晶ライトバルブユニットによれば、少なくとも、液晶ライトバルブを、第１弾性支持手段を介して第１支持部材に光軸方向に変位可能に支持して、第１電磁駆動手段により駆動するようにしたので、液晶ライトバルブを簡単な構成で確実に加振することができる。
【００３４】
また、本発明の投影型映像表示装置によれば、少なくとも液晶ライトバルブを確実に加振して塵埃を除去することができるので、装置の信頼性を向上することができる。
【発明を実施するための最良の形態】
【００３５】
以下、本発明の実施の形態について、図面を参照して説明する。
【００３６】
（第１実施の形態）
図１は、本発明の第１実施の形態における投影型映像表示装置の概略構成を示すものである。本実施の形態の投影型映像表示装置は、Ｒ，Ｇ，Ｂ用の液晶ライトバルブを有する三板式の液晶プロジェクタを示すもので、筐体１に装填された光学ボックス２および投射レンズ３を有している。
【００３７】
光学ボックス２には、水銀ランプ等のランプ１１およびリフレクタ１２から成る光源１３が配置されており、ランプ１１から発せられた光はリフレクタ１２によって反射された後、ＵＶ／ＩＲ（紫外／赤外光）除去フィルタ１４を経てフライアイレンズ１５に入射する。
【００３８】
フライアイレンズ１５を通過した光は、コンデンサレンズ１６および反射ミラー１７を経てダイクロイックミラー１８に入射し、ここでＲ光が反射、その他の光が透過されて、Ｒ光が分離される。このダイクロイックミラー１８で分離されたＲ光は、反射ミラー１９で反射された後、フィールドレンズ２０ａおよび入射側の偏光板２１を経て液晶ライトバルブ（液晶パネル）２２に入射して変調され、その変調されたＲ光（Ｒ光の分光画像）が出射側の偏光板２３を経てダイクロイックプリズム２４に入射される。
【００３９】
ダイクロイックミラー１８を透過した光は、ダイクロイックミラー２５に入射し、ここでＧ光が反射、Ｂ光が透過されて、Ｇ光とＢ光とが分離される。ダイクロイックミラー２５で分離されたＧ光は、フィールドレンズ２０ｂおよび入射側の偏光板２７を経て液晶ライトバルブ２８に入射して変調され、その変調されたＧ光（Ｇ光の分光画像）が出射側の偏光板２９を経てダイクロイックプリズム２４に入射される。
【００４０】
また、ダイクロイックミラー２５で分離されたＢ光は、リレーレンズ３０、反射ミラー３１、リレーレンズ３２、反射ミラー３３、フィールドレンズ２０ｃおよび入射側の偏光板３４を経て液晶ライトバルブ３５に入射して変調され、その変調されたＢ光（Ｂ光の分光画像）が出射側の偏光板３６を経てダイクロイックプリズム２４に入射される。
【００４１】
ダイクロイックプリズム２４に入射したＲ，Ｇ，Ｂ光の分光画像は、該ダイクロイックプリズム２４で合成され、その合成像が投射レンズ３により図示しないスクリーンに投影される。
【００４２】
さらに、ランプ１３や液晶ライトバルブ２２，２８，３５等を冷却すると共に、後述する加振手段によって液晶ライトバルブ２２，２８，３５およびそれらの出射側の偏光板２３，２９，３６から離脱した塵埃粒子を外部に吹き飛ばすため、光学ブロック２内への外気導入用のファン３７と排気用のファン３８が設けられている。なお、図１では、ファン３７によって導入された外気が光学ブロック２内にこもることなく、ファン３８からスムーズに排気されるように、光学ブロック２内に排気ダクト３９を設けて、導入された外気が光学ブロック２内の適宜の箇所から排気ダクト３９に逃げるようにしてある。
【００４３】
本実施の形態では、Ｒ，Ｇ，Ｂ光を変調する液晶ライトバルブ２２，２８，３５の各々と、対応する出射側の偏光板２３，２９，３６とを、それぞれライトバルブユニットとして、対応する液晶ライトバルブおよび偏光板を加振可能に構成する。
【００４４】
以下、ライトバルブユニットの構成について説明するが、Ｒ，Ｇ，Ｂ光用の各ライトバルブユニットは同一構成であるので、Ｒ光を変調する液晶ライトバルブ２２およびその出射側の偏光板２３を有するライトバルブユニットについて、代表して説明する。
【００４５】
図２〜図４はライトバルブユニットの構成を説明するための図で、図２は要部の部分断面図、図３は図２のＡ矢視方向から見た正面図、図４は図３に示す弾性支持部材および補助筒の部分斜視図である。
【００４６】
このライトバルブユニット４０は、図１に示したダイクロイックプリズム２４に取り付けられるユニット受け４１を有しており、このユニット受け４１には、液晶ライトバルブ２２を支持するための第１支持部材である液晶ライトバルブ支持部材４２および偏光板２３を支持するための第２支持部材である偏光板支持部材４３が取り付けネジ４４によって取り付けられている。
【００４７】
ユニット受け４１には、変調された投射光が出射する開口部４１ａの周囲に突起部４１ｂが形成されており、この突起部４１ｂを、ダイクロイックプリズム２４の二次加工面に接着固定することで、ダイクロイックプリズム２４に取り付けられるようになっている。
【００４８】
液晶ライトバルブ支持部材４２および偏光板支持部材４３は、それぞれ磁性材からなり、適宜の箇所において位置決めピン４５により相対位置が位置決めされて固定されている。
【００４９】
液晶ライトバルブ２２は、第１ホルダであるホルダ５１に保持されている。ホルダ５１には、その対向する両側面に、第１弾性支持手段である２枚の板バネ５２ａ，５２ｂのそれぞれの一端部が固定されている。板バネ５２ａ，５２ｂのそれぞれの他端部は、液晶ライトバルブ支持部材４２に形成された一対の立ち上がり部４２ａを貫通して、一対の立ち上がり部４２ａ上に跨って固定された第１プリント基板であるプリント基板５３に半田付けして固定され、これにより液晶ライトバルブ２２を保持するホルダ５１を、液晶ライトバルブ２２を透過する投射光の光軸方向に変位可能に液晶ライトバルブ支持部材４２に支持している。
【００５０】
なお、板バネ５２ａ，５２ｂは、ホルダ５１を光軸方向にスムーズに変位可能とするため、図４に詳細に示すように、幅方向中央部が長さ方向に亘って開口していると共に、ホルダ５１側の取り付け端部は、Ｕ字状にくびれており、このくびれ部分にシリコンゲル等のダンパ材５４が保持されている。また、立ち上がり部４２ａには、板バネ５２ａ，５２ｂが貫通する補助筒５５ａ，５５ｂが取り付けられ、これら補助筒５５ａ，５５ｂの内部に、シリコンゲル等のダンパ材５６が充填されている。
【００５１】
プリント基板５３には、ホルダ５１側の表面で、一対の立ち上がり部４２ａの間に位置して、光軸方向に延在する空芯の第１コイルであるコイル６１が装着されている。本実施の形態では、液晶ライトバルブ支持部材４２に、コイル６１のコア内に進入するヨーク片４２ｂを一体に設けている。
【００５２】
一方、コイル６１と対向するホルダ５１の側面には、厚さ方向に磁化された第１永久磁石である永久磁石６２が取り付けられ、コイル６１にフレキシブル配線基板６６を介して電流を流すことにより、永久磁石６２との電磁作用によって、液晶ライトバルブ２２およびホルダ５１が光軸方向に変位するようになっている。すなわち、コイル６１と永久磁石６２とにより、ムービングマグネット方式の第１電磁駆動手段が構成されている。なお、液晶ライトバルブ２２は、フレキシブル配線基板６６を介して駆動信号が供給されるようになっている。また、液晶ライトバルブ２２の入射側表面には、入射光（この場合には、Ｒ光）に対する反射防止膜が施されている。
【００５３】
また、ホルダ５１の光軸方向の位置を検出するため、図３に詳細に示すように、ホルダ５１の側面には、光軸方向に傾斜した第１反射部材である反射部材６３が配置されており、一方の立ち上がり部４２ａには、反射部材６３に光を投射してその反射光を受光する第１フォトリフレクタであるフォトリフレクタ６４が配置されている。なお、フォトリフレクタ６４の受光部は、ホルダ５１の光軸方向の位置を検出するため、半導体位置検出器（ＰＳＤ）、光軸方向に延在する一次元受光アレイ、あるいは光軸方向に少なくとも２分割された受光領域を有するピンフォトダイオードからなる光検出器で構成されている。このフォトリフレクタ６４の発光部および受光部は、フレキシブル配線基板６６を介して所要の回路に接続される。
【００５４】
偏光板２３も、第２ホルダであるホルダ７１に保持されて、液晶ライトバルブ２２の場合と同様の構成からなる第２弾性支持手段により、偏光板支持部材４３に形成された一対の立ち上がり部４３ａに光軸方向に変位可能に支持されていると共に、液晶ライトバルブ２２の場合と同様の構成からなる第２電磁駆動手段により光軸方向に駆動されるようになっている。なお、図２において、符号７２は、一対の立ち上がり部４３ａ上に跨って固定された第２プリント基板を示しており、符号７３はプリント基板７２に装着した第２コイルを示しており、符号４３ｂはコイル７３のコア内に進入するように偏光板支持部材４３に一体に形成されたヨーク片を示しており、符号７４はコイル７３と対向してホルダ７１に設けられた厚さ方向に磁化された第２永久磁石を示している。なお、コイル７３には、フレキシブル配線基板６６を介して電流が供給される。
【００５５】
ホルダ７１には、その光軸方向の位置およびこのライトバルブユニット４０を透過する投射光の光量を検出するため、偏光板２３の出射側にホログラム素子８１が保持されている。このホログラム素子８１には、投射光の周辺光を回折させて集光させるレンズパワーを有する輪帯形状の回折格子８１ａが形成されている。また、ユニット受け４１には、回折格子８１ａでの回折光を受光する光検出器８２が設けられている。光検出器８２は、ホルダ７１の光軸方向の位置を検出するため、半導体位置検出器、回折格子８１ａの回折方向に延在する一次元受光アレイ、あるいは回折方向に少なくとも２分割された受光領域を有するピンフォトダイオードから構成されており、フレキシブル配線基板６６を介して所要の回路に接続される。なお、回折格子８１ａは、輪帯形状に限らず、ホログラム素子８１の出射面側全面に形成して、投射光全体の回折光を光検出器８２で受光するようにすることもできる。
【００５６】
次に、本実施の形態に係る投影型映像表示装置の制御回路の構成について説明する。
【００５７】
図５は、制御回路の概略構成を示すブロック図である。図５において、ライトバルブユニットについては、図２〜図４に示したＲ光を変調するライトバルブユニット４０の一部の回路構成を示し、Ｇ光およびＢ光を変調するライトバルブユニットについては、Ｒ光を変調するライトバルブユニット４０と同様の回路構成であるので、図示を省略してある。
【００５８】
この制御回路は、操作スイッチ１０１、ＣＰＵ１０２、発振回路（ＯＳＣ）１０３、液晶ライトバルブ用共振駆動回路１０４、偏光板用共振駆動回路１０５、判別回路１０６、アナログ／デジタル（Ａ／Ｄ）変換回路１０７、サーボ回路１０８、温度センサ１０９、ファン駆動回路１１０、光源駆動回路１１１、オートパワーコントロール（ＡＰＣ）回路１１２、および表示回路１１３を有している。
【００５９】
操作スイッチ１０１は、赤外線式のリモコンや手動操作によって投影型映像表示装置の電源をオン／オフするもので、そのオン／オフ状態はＣＰＵ１０２で検出される。
【００６０】
ＯＳＣ１０３は、ＣＰＵ１０２の制御のもとに選択的に駆動され、その発振周波数によって液晶ライトバルブ用共振駆動回路１０４および偏光板用共振駆動回路１０５を介して液晶ライトバルブ駆動用のコイル６１および偏光板駆動用のコイル７３がそれぞれ駆動されるようになっている。
【００６１】
判別回路１０６は、例えばウインドコンパレータにより構成され、液晶ライトバルブ２２および偏光板２３の加振時に、液晶ライトバルブ支持部材４２に設けられたフォトリフレクタ６４の受光部６４ａおよびユニット受け４１に設けられた光検出器８２の出力に基づいて、液晶ライトバルブ駆動用のコイル６１および偏光板駆動用のコイル７３の断線をそれぞれ検出するもので、それらの検出結果はＣＰＵ１０２に供給される。
【００６２】
Ａ／Ｄ変換回路１０７は、フォトリフレクタ６４の受光部６４ａおよび光検出器８２からのアナログ出力信号をデジタル信号に変換してサーボ回路１０８に供給する。
【００６３】
サーボ回路１０８は、ゲイン回路や位相補償回路等を有しており、ＣＰＵ１０２の制御のもとに選択的に駆動されて、Ａ／Ｄ変換回路１０７の出力に基づいてコイル６１，７３に駆動電流を供給し、これにより液晶ライトバルブ２２および偏光板２３をそれぞれ光軸方向の基準位置に位置決めするようになっている。
【００６４】
温度センサ１０９は、例えば光源１３の近傍に配置され、その出力はＣＰＵ１０２に供給される。
【００６５】
ファン駆動回路１１０は、外気導入用のファン３７および排気用のファン３８を駆動するもので、操作スイッチ１０１の状態および温度センサ１０９の出力に基づいてＣＰＵ１０２により制御されるようになっている。
【００６６】
光源駆動回路１１１は、ＣＰＵ１０２により制御されてランプ１１を駆動する。また、ＡＰＣ回路１１２は、ＣＰＵ１０２により制御され、光検出器８２の出力に基づいて光源駆動回路１１１を介してランプ１１の発光量を制御するようになっている。なお、ＡＰＣ回路１１２は、上記のＲ光用の偏光板２３に対応して設けられた光検出器８２、あるいはＧ光用の偏光板に対応して設けられた光検出器やＢ光用の偏光板に対応して設けられた光検出器のいずれか一つの出力のみ入力して発光量を制御するようにしてもよいし、これら三つの光検出器の出力を入力して、ランプ１１から出射される可視光であるＲ，Ｇ，Ｂの領域毎のピーク値に基づいた加重平均値から発光量を制御するようにしてもよい。
【００６７】
表示回路１１３は、ＣＰＵ１０２によって制御されるもので、メッセージ等を表示する表示素子や、液晶ライトバルブ２２や偏光板２３の加振動作状態や、ファン３７，３８の動作状態を表示する赤色、緑色、黄色等の複数のＬＥＤを有している。
【００６８】
なお、ＣＰＵ１０２は、操作スイッチ１０１の状態、判別回路１０６および温度センサ１０９の出力に基づいて所定のプログラムに従って各部の動作を制御するもので、このＣＰＵ１０２には、液晶ライトバルブ２２および偏光板２３の加振時間やファン３７，３８の駆動時間等をプログラムに従った各種の設定時間駆動するための複数のタイマを内蔵している。
【００６９】
以下、本実施の形態の要部の動作について、図６に示すフローチャートを参照しながら説明する。
【００７０】
先ず、操作スイッチ１により電源がオンされたのをＣＰＵ１０２によって検出したら（ステップＳ１）、光源駆動回路１１１を介してランプ１１を点灯させると共に、液晶ライトバルブ２２の加振（ステップＳ２）、偏光板２３の加振（ステップＳ３）および外気導入用・排気用ファン３７，３８の駆動（ステップＳ４）を並行して開始させる。
【００７１】
すなわち、電源オンによってＯＳＣ１０３を駆動し、その出力に基づいて、液晶ライトバルブ用共振駆動回路１０４を介してコイル６１に所要の交番電流を供給して液晶ライトバルブ２２を光軸方向に加振させると共に、偏光板用共振駆動回路１０５を介してコイル７３に所要の交番電流を供給して偏光板２３を光軸方向に加振させる。また、ファン駆動回路１１０を介してファン３７，３８を駆動する。
【００７２】
液晶ライトバルブ２２の加振を開始したら、表示回路１１３における液晶ライトバルブ動作表示用の例えば緑色ＬＥＤを点灯させる（ステップＳ５）と共に、ＣＰＵ１０２の内蔵タイマをリセットして（ステップＳ６）、第１設定時間（例えば、１５秒）が経過したか否かを監視する（ステップＳ７）。また、この第１設定時間中、ＣＰＵ１０２は、判別回路１０６の出力に基づいて、液晶ライトバルブ２２が正常に加振されているか否か、すなわちコイル６１の断線等の異常があるか否かを判断し（ステップＳ８）、異常がある場合には、液晶ライトバルブ用共振駆動回路１０４からのコイル６１への電流の供給を遮断して、液晶ライトバルブ２２の加振を中止する（ステップＳ９）と共に、表示回路１１３における緑色ＬＥＤを点滅させる（ステップＳ１０）。
【００７３】
これに対し、液晶ライトバルブ２２が正常に加振され、かつ第１設定時間が経過したら、引き続き第２設定時間（第１設定時間経過時点から例えば１５秒）が経過するまで液晶ライトバルブ２２を加振させ（ステップＳ１１）、その時間が経過した時点で液晶ライトバルブ２２の加振を終了させる（ステップＳ１２）と共に、緑色ＬＥＤを消灯させる（ステップＳ１３）。
【００７４】
偏光板２３の加振においても、上記と同様に、表示回路１１３における偏光板動作表示用の例えば赤色ＬＥＤを点灯させる（ステップＳ１４）と共に、ＣＰＵ１０２の内蔵タイマをリセットして（ステップＳ１５）、第３設定時間（例えば、１５秒）が経過したか否かを監視する（ステップＳ１６）。また、この第３設定時間中、ＣＰＵ１０２は、判別回路１０６の出力に基づいて、偏光板２３が正常に加振されているか否か、すなわちコイル７３の断線等の異常があるか否かを判断し（ステップＳ１７）、異常がある場合には、偏光板共振駆動回路１０５からのコイル７３への電流の供給を遮断して、偏光板２３の加振を中止する（ステップＳ１８）と共に、表示回路１１３における赤色ＬＥＤを点滅させる（ステップＳ１９）。
【００７５】
これに対し、偏光板２３が正常に加振され、かつ第３設定時間が経過したら、引き続き第４設定時間（第３設定時間経過時点から例えば１５秒）が経過するまで偏光板２３を加振させ（ステップＳ２０）、その時間が経過した時点で偏光板２３の加振を終了させる（ステップＳ２１）と共に、赤色ＬＥＤを消灯させる（ステップＳ２２）。
【００７６】
一方、外気導入用・排気用のファン３７，３８の駆動においては、その駆動開始により表示回路１１３におけるファン動作表示用の例えば黄色ＬＥＤを点灯させる（ステップＳ２３）と共に、該表示回路１１３の表示素子に例えば「塵埃除去動作中」のメッセージを表示させ（ステップＳ２４）、さらにＣＰＵ１０２の内蔵タイマをリセットして（ステップＳ２５）、第５設定時間（例えば、６０秒〜９０秒の任意の時間）が経過したか否かを監視する（ステップＳ２６）。
【００７７】
また、この第５設定時間中、ＣＰＵ１０２は、ステップＳ８やステップＳ１７の判断結果が正常か否か、すなわち液晶ライトバルブ２２の加振や偏光板２３の加振が正常であったか否かを判断し（ステップＳ２７）、異常があった場合には、表示回路１１３の表示素子にその旨のメッセージ、例えば「液晶ライトバルブ加振異常」や「偏光板加振異常」を表示して（ステップＳ２８）、全ての動作を終了する。
【００７８】
これに対し、液晶ライトバルブ２２の加振および偏光板２３の加振が正常で、かつ第５設定時間が経過したら、黄色ＬＥＤを消灯させる（ステップＳ２９）と共に、表示素子に例えば「塵埃除去動作終了」等のメッセージを表示する（ステップＳ３０）。
【００７９】
その後、ＣＰＵ１０２は、サーボ回路１０８の駆動に切り替え、これによりＡ／Ｄ変換回路１０７から得られるフォトリフレクタ６４の受光部６４ａの出力および光検出器８２の出力に基づいて、液晶ライトバルブ２２および偏光板２３をそれぞれ光軸方向の所定位置に位置させるようにサーボ制御する（ステップＳ３１）と共に、温度センサ１０９の出力を監視して設定温度以下か否かを判断し（ステップＳ３２）、設定温度を超えるときはファン３７，３８を駆動して（ステップＳ３３）、光学ボックス２内を設定温度以下に維持する。
【００８０】
上記のステップＳ３１〜Ｓ３３を、操作スイッチ１０１による電源のオフが検出されるまで（ステップＳ３４）繰り返し、電源のオフが検出されたら全ての動作を終了する。
【００８１】
以上のように、本実施の形態によれば、Ｒ，Ｇ，Ｂ光を変調する液晶ライトバルブ２２，２８，３５の各々と、対応する出射側の偏光板２３，２９，３６とを、それぞれライトバルブユニットとして、各ユニットの液晶ライトバルブおよび偏光板を、それぞれ板バネを介して光軸方向に変位可能に対応する支持部材に支持してムービングマグネット方式の電磁駆動手段により駆動するようにしたので、簡単な構成で液晶ライトバルブおよび偏光板を加振することができる。しかも、液晶ライトバルブおよび偏光板の光軸方向の位置をそれぞれ検出する光学的な位置検出手段を設け、その出力に基づいて加振動作の異常も検出するようにしたので、液晶ライトバルブおよび偏光板を確実に加振して塵埃を除去することができ、信頼性を向上することができる。
【００８２】
（第２実施の形態）
図７は、本発明の第２実施の形態におけるライトバルブユニットの要部の構成を示す図である。
【００８３】
本実施の形態は、第１実施の形態に示したライトバルブユニットと比較して、主として、偏光板２３の傾きを調整可能に構成した点と、偏光板２３の対向する両側面側に一対の電磁駆動手段を設けた点と、偏光板２３の光軸方向の位置を第２フォトリフレクタであるフォトリフレクタ１３１により検出するようにした点とが異なるものである。
【００８４】
このため、ユニット受け４１（図２参照）には、偏光板支持部材４３を、偏光板２３の光軸の傾きを調整可能に支持する補助支持部材１２２が設けられ、この補助支持部材１２２に２個のピポット支点（突起）１２３が設けられている。２個のピポット支点１２３は、光軸から直角方向に設けられ、その各々の先端部は、偏光板支持部材４３に形成された貫通孔を有するピポット受け１２４に当接するようになっている。なお、図７では１個のピポット支点１２３と、そのピポット受け１２４とを示している。
【００８５】
補助支持部材１２２には、各ピポット支点１２３に対応して光軸と反対側にばか穴１２５が形成されて、これらばか穴１２５を通して偏光板支持部材４３に傾き調整手段である調整ネジ１２６がそれぞれ螺着されていると共に、各調整ネジ１２６を巻回して偏光板支持部材４３と補助支持部材４３との間にコイルバネ１２７が介挿されている。これにより、各調整ネジ１２６を回転させることで、光軸に対する偏光板２３の傾きが調整可能になっている。
【００８６】
また、偏光板支持部材４３には、偏光板２３を保持するホルダ７１の対向する２つの側面にそれぞれ対向して立ち上がり部４３ｃ，４３ｄが形成されている。これら立ち上がり部４３ｃ，４３ｄには、プリント基板７２ａ，７２ｂのホルダ７１側の表面に、それぞれ光軸方向に延在して装填されたコイル７３ａ，７３ｂが、それらのコア内に立ち上がり部４３ｃ，４３ｄを進入させた状態で接着固定されている。また、コイル７３ａ，７３ｂと対向するホルダ７１の側面には、厚さ方向に磁化された永久磁石７４ａ，７４ｂが設けられている。
【００８７】
なお、一方のコイル７３ａは、光軸方向に２分割された２つのコイル７３ａ−１，７３ａ−２から成っており、それらのコイル間のプリント基板７２ａには、フォトリフレクタ１３１が設けられている。また、フォトリフレクタ１３１と対向する永久磁石７４ａ上には、光軸方向に傾斜した非磁性体からなる反射部材１３２が接着固定され、この反射部材１３２に対してフォトリフレクタ１３１から光を照射して、その反射光を受光することにより、その受光出力に基づいて偏光板２３の光軸方向の位置検出が可能となっている。
【００８８】
これにより、コイル７３ａと永久磁石７４ａとによりムービングマグネット方式の一方の電磁駆動手段が構成され、コイル７３ｂと永久磁石７４ｂとにより他方の電磁駆動手段が構成されて、塵埃除去時には、一対の電磁駆動手段により偏光板２３が光軸方向に加振されると共に、その加振動作の正常・異常がフォトリフレクタ１３１の出力に基づいて判定され、サーボ制御時には、フォトリフレクタ１３１の出力に基づいて、一対の電磁駆動手段により偏光板２３が光軸方向に駆動されて所定の位置に位置制御されるようになっている。なお、ホルダ７１は、第１実施の形態と同様に、板バネを介して偏光板支持部材４３に光軸方向に変位可能に支持される。
【００８９】
本実施の形態によれば、調整ネジ１２６を回すことで、偏光板２３の光軸に対する傾きを調整できるので、各部品の加工精度による組み立て誤差を除去することができる。また、一対の電磁駆動手段で偏光板２３を駆動するので、大きな駆動力を得ることができ、これにより偏光板２３に付着した塵埃をより確実に除去することが可能となる。
【００９０】
なお、上記の偏光板２３における光軸傾き調整機構、一対の電磁駆動手段による駆動機構は、偏光板２３とともにライトバルブユニットを構成する液晶ライトバルブ２２にも適用することができる。また、光源の発光量を制御する場合には、第１実施の形態と同様に、ホルダ７１の偏光板２３の出射側にホログラム素子を保持して、その回折光をユニット受け４１に設けた光検出器で受光するようにすればよい。
【００９１】
（第３実施の形態）
図８は、本発明の第３実施の形態におけるライトバルブユニットの要部の構成を示す図である。
【００９２】
本実施の形態は、第２実施の形態に示したライトバルブユニットにおいて、フォトリフレクタ１３１に代えて第２ホール素子であるホール素子１３５を用いて、偏光板２３の光軸方向の位置や加振動作を検出するようにしたものである。
【００９３】
このため、ホール素子１３５側の永久磁石７４ａは、コイル７３ａ−１，７３ａ−２にそれぞれ対向するように、光軸方向に２つの永久磁石７４ａ−１，７４ａ−２に分割されて極性を反転してホルダ７１に取り付けられ、ホルダ７１の光軸方向の変位により、永久磁石７４ａ−１，７４ａ−２の境界（分割線）がホール素子１３５と対向する領域を移動するようになっている。これにより、ホール素子１３５によって、ホルダ７１の光軸方向の位置、すなわち偏光板２３の光軸方向の位置や加振動作が検出される。
【００９４】
なお、本実施の形態では、永久磁石７４ａが２つの永久磁石７４ａ−１，７４ａ−２に分割されて極性を反転して取り付けられているので、これら永久磁石７４ａ−１，７４ａ−２とそれぞれ対向するコイル７３ａ−１，７３ａ−２には、互いに逆方向に駆動電流が供給されることになる。
【００９５】
上記のホール素子１３５による偏光板２３の位置検出および加振動作の検出機構は、液晶ライトバルブ２２側にも、同様に、フォトリフレクタ６４に代えて第１ホール素子を設けると共に、これと対向する永久磁石６２を光軸方向に２分割して逆極性にして配置することにより適用することができる。また、光源の発光量を制御する場合には、第１実施の形態と同様に、ホルダ７１の偏光板２３の出射側にホログラム素子を保持して、その回折光をユニット受け４１に設けた光検出器で受光するようにすればよい。
【００９６】
本発明は、上記実施の形態に限定されるものではなく、幾多の変形または変更が可能である。例えば、上記実施の形態では、投影型映像表示装置の電源をオンした際に、塵埃除去動作を行うようにしたが、電源のオフ時、あるいは適宜のタイミングで塵埃除去動作を行うように構成することもできる。また、液晶ライトバルブのみを加振可能に構成することもできる。さらに、電磁駆動手段による加振や位置制御（サーボ制御）は、ムービングコイル方式とすることもできる。また、上記実施の形態では、一つの光源１３を用いたが、２灯式等、複数の光源を用いる場合にも有効に適用することができる。
【図面の簡単な説明】
【００９７】
【図１】本発明の第１実施の形態に係る投影型映像表示装置の概略構成を示す図である。
【図２】図１に示すライトバルブユニットの要部の構成を示す部分断面図である。
【図３】図２のＡ矢視方向から見たライトバルブユニットの正面図である。
【図４】図３に示す弾性支持部材および補助筒の部分斜視図である。
【図５】第１実施の形態に係る投影型映像表示装置の制御回路の概略構成を示すブロック図である。
【図６】第１実施の形態の要部の動作を示すフローチャートである。
【図７】本発明の第２実施の形態に係るライトバルブユニットの要部の構成を示す図である。
【図８】同じく、第３実施の形態に係るライトバルブユニットの要部の構成を示す図である。
【符号の説明】
【００９８】
１  筐体
２  光学ボックス
３  投射レンズ
１１  ランプ
１２  リフレクタ
１３  光源
１４  ＵＶ／ＩＲ除去フィルタ
１５  フライアイレンズ
１６  コンデンサレンズ
１７，１９，３１，３３  反射ミラー
１８，２５  ダイクロイックミラー
２０ａ，２０ｂ，２０ｃ  フィールドレンズ
２１，２３，２７，２９，３４，３６  偏光板
２２，２８，３５  液晶ライトバルブ（液晶パネル）
２４  ダイクロイックプリズム
３０，３２  リレーレンズ
３７，３８  ファン
３９  排気ダクト
４０  ライトバルブユニット
４１  ユニット受け
４２  液晶ライトバルブ支持部材
４２ａ  立ち上がり部
４２ｂ  ヨーク片
４３  偏光板支持部材
４３ａ，４３ｃ，４３ｄ  立ち上がり部
４３ｂ  ヨーク片
４４  取り付けネジ
４５  位置決めピン
５１，７１  ホルダ
５２ａ，５２ｂ  板バネ
５３，７２，７２ａ，７２ｂ  プリント基板
５４，５６  ダンパ材
５５ａ，５５ｂ  補助筒
６１，７３，７３ａ，７３ａ−１，７３ａ−２，７３ｂ  コイル
６２，７４，７４ａ，７４ｂ  永久磁石
６３，１３２  反射部材
６４，１３１  フォトリフレクタ
６６  フレキシブル配線基板
８１  ホログラム素子
８１ａ  回折格子
８２  光検出器
１０１  操作スイッチ
１０２  ＣＰＵ
１０３  発振回路（ＯＳＣ）
１０４  液晶ライトバルブ用共振駆動回路
１０５  偏光板用共振駆動回路
１０６  判別回路
１０７  アナログ／デジタル（Ａ／Ｄ）変換回路
１０８  サーボ回路
１０９  温度センサ
１１０  ファン駆動回路
１１１  光源駆動回路
１１２  オートパワーコントロール（ＡＰＣ）回路
１１３  表示回路
１２２  補助支持部材
１２３  ピポット支点（突起）
１２４  ピポット受け
１２５  ばか穴
１２６  調整ネジ
１２７  コイルバネ
１３５  ホール素子
【図１】
2006259111.tif 000003
【図２】
2006259111.tif 000004
【図３】
2006259111.tif 000005
【図４】
2006259111.tif 000006
【図５】
2006259111.tif 000007
【図６】
2006259111.tif 000008
【図７】
2006259111.tif 000009
【図８】
2006259111.tif 000010